(57)【要約】【課題】トナーカートリッジに備わる記憶媒体に格納されている情報に不具合がある場合に、画像形成装置側にて誤動作を引き起すことを防止する技術を提供する。【解決手段】画像形成装置に装着されている着色剤カートリッジに備わる記憶装置から、補正値を取得し、取得された補正値が所定の数値範囲内にあるか否かを判定し、取得された補正値が所定の数値範囲内にないと判定される場合には、画像形成動作に関連する所定の処理の制御パラメータを、画像形成装置にて実行される所定の処理の制御パラメータを補正するために予め設定されている所定の補正値に基づいて補正する。【選択図】図２
2010244049.tif 000002
【特許請求の範囲】
【請求項１】
画像形成動作に関連する所定の処理の制御パラメータを補正するための補正値を記憶している記憶装置を備える着色剤カートリッジを装着される画像形成装置であって、
前記画像形成装置に装着されている着色剤カートリッジに備わる記憶装置から、前記補正値を取得する補正情報取得部と、
前記補正情報取得部にて取得された補正値が所定の数値範囲内にあるか否かを判定する判定部と、
前記画像形成装置にて実行される所定の処理の制御パラメータを補正するために予め設定されている所定の補正値を記憶する記憶部と、
前記判定部にて、前記補正情報取得部により取得された補正値が所定の数値範囲内にないと判定される場合には、前記画像形成動作に関連する所定の処理の制御パラメータを、前記記憶部に記憶されている前記所定の補正値に基づいて補正する補正処理部と、
を備える画像形成装置。
【請求項２】
請求項１に記載の装置において、
前記着色剤カートリッジはトナーカートリッジであり、
前記所定の処理の制御パラメータとは、感光体ドラムを帯電させる際の帯電バイアス電圧の電圧値、トナー像を記録媒体に転写させる際の現像バイアス電圧の電圧値および感光体ドラムの感光面を露光する際のレーザ光の強度の内の少なくともいずれかである画像形成装置。
【請求項３】
請求項１に記載の装置において、
前記判定部による判定結果に関する情報を、該判定結果が得られた判定処理の判定対象となった着色剤カートリッジに備わる前記記憶装置に格納させる履歴格納部をさらに備える画像形成装置。
【請求項４】
請求項１に記載の装置において、
前記記憶部は、前記画像形成装置に装着されるべき着色剤カートリッジを識別するための所定の識別情報を予め格納しており、
前記着色剤カートリッジに備わる前記記憶装置に該着色剤カートリッジを識別するための識別情報が格納されている場合に、該識別情報と前記記憶部に格納されている所定の識別情報とが一致するか否かを判定する識別情報判定部と、
前記補正処理部は、前記識別情報判定部にて、前記記憶装置に格納されている識別情報と前記所定の識別情報とが一致しないと判定される場合には、前記画像形成動作に関連する所定の処理の制御パラメータを、前記記憶部に記憶されている前記所定の補正値に基づいて補正する画像形成装置。
【請求項５】
画像形成動作に関連する所定の処理の制御パラメータを補正するための補正値を記憶している記憶装置を備える着色剤カートリッジを装着される画像形成装置における制御パラメータ補正方法であって、
前記画像形成装置に装着されている着色剤カートリッジに備わる記憶装置から、前記補正値を取得し、
取得された補正値が所定の数値範囲内にあるか否かを判定し、
取得された補正値が所定の数値範囲内にないと判定される場合には、前記画像形成動作に関連する所定の処理の制御パラメータを、前記画像形成装置にて実行される所定の処理の制御パラメータを補正するために予め設定されている所定の補正値に基づいて補正する制御パラメータ補正方法。
【請求項６】
請求項５に記載の方法において、
前記着色剤カートリッジはトナーカートリッジであり、
前記所定の処理の制御パラメータとは、感光体ドラムを帯電させる際の帯電バイアス電圧の電圧値、トナー像を記録媒体に転写させる際の現像バイアス電圧の電圧値および感光体ドラムの感光面を露光する際のレーザ光の強度の内の少なくともいずれかである制御パラメータ補正方法。
【請求項７】
請求項５に記載の方法において、
取得された補正値が所定の数値範囲内にあるか否かについての判定結果に関する情報を、該判定結果が得られた判定処理の判定対象となった着色剤カートリッジに備わる前記記憶装置に格納させる制御パラメータ補正方法。
【請求項８】
請求項５に記載の方法において、
前記着色剤カートリッジに備わる前記記憶装置に該着色剤カートリッジを識別するための識別情報が格納されている場合に、該識別情報と前記画像形成装置に装着されるべき着色剤カートリッジを識別するための所定の識別情報とが一致するか否かを判定し、
前記記憶装置に格納されている識別情報と前記所定の識別情報とが一致しないと判定される場合には、前記画像形成動作に関連する所定の処理の制御パラメータを、前記所定の補正値に基づいて補正する制御パラメータ補正方法。
【発明の詳細な説明】
【技術分野】
【０００１】
この明細書は、トナーカートリッジに備わる記憶媒体に格納される情報に関連して画像形成装置にて実行される処理の制御に関する。
【背景技術】
【０００２】
従来、画像形成装置に装着されたトナーカートリッジに備わる記憶媒体に格納されている情報を読み出し、画像形成装置本体にて当該情報を利用する構成が知られる。
【発明の概要】
【発明が解決しようとする課題】
【０００３】
上記従来の構成を採用する場合、トナーカートリッジに備わる記憶媒体の情報が静電気により破損してしまった場合や製造時の書き込みミス等によって間違ったデータが書き込まれてしまっている場合、あるいはデータが何も書き込まれていないような場合、画像形成装置側で誤動作を引き起こしてしまうおそれがあった。
【０００４】
本発明は上述した問題点を解決するためになされたものであり、トナーカートリッジに備わる記憶媒体に格納されている情報に不具合がある場合に、画像形成装置側にて誤動作を引き起すことを防止する技術を提供することを目的とする。
【課題を解決するための手段】
【０００５】
上述した課題を解決するため、この明細書は、画像形成動作に関連する所定の処理の制御パラメータを補正するための補正値を記憶している記憶装置を備える着色剤カートリッジを装着される画像形成装置であって、前記画像形成装置に装着されている着色剤カートリッジに備わる記憶装置から、前記補正値を取得する補正情報取得部と、前記補正情報取得部にて取得された補正値が所定の数値範囲内にあるか否かを判定する判定部と、前記画像形成装置にて実行される所定の処理の制御パラメータを補正するために予め設定されている所定の補正値を記憶する記憶部と、前記判定部にて、前記補正情報取得部により取得された補正値が所定の数値範囲内にないと判定される場合には、前記画像形成動作に関連する所定の処理の制御パラメータを、前記記憶部に記憶されている前記所定の補正値に基づいて補正する補正処理部と、を備える画像形成装置に関する。
【０００６】
この明細書は、画像形成動作に関連する所定の処理の制御パラメータを補正するための補正値を記憶している記憶装置を備える着色剤カートリッジを装着される画像形成装置における制御パラメータ補正方法であって、前記画像形成装置に装着されている着色剤カートリッジに備わる記憶装置から、前記補正値を取得し、取得された補正値が所定の数値範囲内にあるか否かを判定し、取得された補正値が所定の数値範囲内にないと判定される場合には、前記画像形成動作に関連する所定の処理の制御パラメータを、前記画像形成装置にて実行される所定の処理の制御パラメータを補正するために予め設定されている所定の補正値に基づいて補正する制御パラメータ補正方法に関する。
【発明の効果】
【０００７】
以上に詳述したように、本発明によれば、トナーカートリッジに備わる記憶媒体に格納されている情報に不具合がある場合に、画像形成装置側にて誤動作を引き起すことを防止する技術を提供することができる。
【図面の簡単な説明】
【０００８】
【図１】本発明の第１の実施の形態における画像処理装置（ＭＦＰ:Multi Function Peripheral）の概略構成を示す縦断面図である。
【図２】本発明の第１の実施の形態による画像形成装置に備わる各種機能について説明するための機能ブロック図である。
【図３】ＨＤＤ８０４に保持されている補正データについて説明するための図である。
【図４】トナーカートリッジ１Ｙ〜１Ｋ側に備わっている記憶装置９Ｙ〜９Ｋに保持されているデータについて説明するための図である。
【図５】トナーカートリッジ側の記憶装置に格納されている情報の詳細について説明するための図である。
【図６】本発明の第１の実施の形態による画像形成装置における処理の流れを示すフローチャートである。
【図７】図６に示したフローチャートにおけるＡＣＴ１０２における判定結果が「Ｎｏ」の場合に、いずれの補正テーブルも使用しない状態でプリント／コピーモードに移行する例を示すフローチャートである。
【図８】図６に示したフローチャートにおいて、ＡＣＴ１０２の処理を無くしたフローチャートである。
【図９】図８に示したフローチャートにおける「Ａ００１とＢ００１のデータが一致する？」の判断が「Ｎｏ」の場合、機能ＯＦＦプリントモードへ移行する、としたフローチャートである。
【図１０】ＨＤＤ８０４に格納されている基準テーブルについて説明するための図である。
【発明を実施するための形態】
【０００９】
以下、実施の形態について図面を参照しつつ説明する。
（第１の実施の形態）
図１は、本発明の第１の実施の形態における画像処理装置（ＭＦＰ:Multi Function Peripheral）の概略構成を示す縦断面図である。
【００１０】
図１に示すように、本実施の形態による画像処理装置は、画像読取部Ｒと、画像形成部Ｐと、を備えている。
【００１１】
画像読取部Ｒは、シート原稿およびブック原稿の画像をスキャンして読み取る機能を有している。
【００１２】
画像形成部Ｐは、画像読取部Ｒにて原稿から読み取られた画像や外部機器から画像処理装置に送信された画像データ等に基づいて、シートに現像剤像を形成する機能を有している。
【００１３】
画像読取部Ｒは、原稿を所定の画像読取位置まで自動搬送可能な自動原稿搬送装置（ＡＤＦ：Auto Document Feeder）9を備えており、この自動原稿搬送装置９によって自動搬送される原稿トレイ（所定の原稿載置台）Ｒｔに載置された原稿や、不図示の原稿台に載置される原稿の画像を、走査光学系１０によって読み取る。
【００１４】
また、画像形成部Ｐは、ピックアップローラ５１〜５４、感光体２Ｙ〜２Ｋ、現像ローラ３Ｙ〜３Ｋ、ミキサ４Ｙ〜４Ｋ、中間転写ベルト６、定着装置７、排出トレイ８、トナーカートリッジ1Ｙ〜1Ｋ（着色剤カートリッジ）およびレーザユニットＬを備えている。
【００１５】
また、本実施の形態による画像処理装置は、ＣＰＵ８０１、ＡＳＩＣ（Application Specific Integrated Circuit）８０２、ＭＥＭＯＲＹ８０３およびＨＤＤ（Hard Disk Drive）８０４を備えている（図１を参照）。ＣＰＵ８０１は、画像処理装置における各種処理を行う役割を有しており、またＭＥＭＯＲＹ８０３に格納されているプログラムを実行することにより種々の機能を実現する役割も有している。なお、ＣＰＵ８０１は、同等の演算処理を実行可能なＭＰＵ（Micro Processing Unit）により代替することも可能であることは言うまでもない。また、ＨＤＤ８０４についても同様に、例えばフラッシュメモリ等の記憶装置により代替可能である。
【００１６】
ＭＥＭＯＲＹ８０３は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）等から構成されることができ、画像処理装置において利用される種々の情報やプログラムを格納する役割を有している。
【００１７】
また、本実施の形態による画像形成装置は、温湿度センサＳを備えており、画像形成装置がさらされている温湿度環境としての気温［℃］や相対湿度［％］を測定可能となっている。本実施の画像形成装置は、温湿度センサＳによる測定結果に基づいて、各種制御パラメータの調整等を行う。
【００１８】
また、本実施の形態では、各トナーカートリッジ１Ｙ〜１Ｋは、画像形成装置本体に対して個別に着脱可能となっている。各トナーカートリッジ１Ｙ〜１Ｋには、それぞれ記憶装置９Ｙ〜９Ｋが一体的に備わっている。記憶装置９Ｙ〜９Ｋには、それぞれのトナーカートリッジ内に収容されているトナーの特性に応じた補正情報が格納されている。画像形成装置は、各トナーカートリッジ１Ｙ〜１Ｋの記憶装置９Ｙ〜９Ｋと、有線通信もしくは無線通信により相互にデータ通信可能となっている。
【００１９】
また、ＨＤＤ８０４（記憶部）は、本実施の形態による画像形成装置に装着されるべきトナーカートリッジを識別するためのシリアル番号等の所定の識別情報を予め格納している。また、ＨＤＤ８０４は、画像形成装置にて実行される所定の処理の制御パラメータを補正するために予め設定されている所定の補正値を記憶する。
【００２０】
以下、本実施の形態による画像処理装置における処理の一例として、コピー処理の概要について説明する。
【００２１】
まず、ピックアップローラ５１〜５４によりカセットからピックアップされたシートは、シート搬送路内に供給される。シート搬送路内に供給されたシートは、複数のローラ対によって所定の搬送方向へ向けて搬送される。
【００２２】
そして、自動原稿搬送装置９によって連続的に自動搬送される複数枚のシート原稿の画像が、所定の画像読取位置にて走査光学系１０によって読み取られる。
【００２３】
次に、画像読取部Ｒにて原稿から読み取られた画像の画像データに基づいて、イエロー（Ｙ）、マゼンタ（Ｍ）、シアン（Ｃ）およびブラック（Ｋ）の現像剤像をシートに転写するための感光体２Ｙ、２Ｍ、２Ｃおよび２Ｋの感光面上に、レーザユニットＬにより静電潜像が形成される。
【００２４】
続いて、現像器におけるミキサ４Ｙ〜４Ｋ（撹拌部に相当）により攪拌された現像剤が、現像ローラ（いわゆる、マグローラ）３Ｙ〜３Ｋによって、上記のようにして静電潜像が形成された感光体２Ｙ〜２Ｋに供給される。これにより、感光体の感光面上に形成された静電潜像が顕像化される。これら現像器へは、トナーカートリッジ９Ｙ〜９Ｋによりトナー補給が行われる。
【００２５】
このようにして感光体上に形成された現像剤像は、中間転写ベルト６のベルト面上に転写され（いわゆる、一次転写）、中間転写ベルトの回転によって搬送される現像剤像は、所定の二次転写位置Ｔにて、搬送されるシート上に転写される。
【００２６】
シート上に転写された現像剤像は、定着器７にてシートに対して加熱定着される。現像剤象が加熱定着されたシートは、複数の搬送ローラ対によって搬送路内を搬送され、排出トレイ８上に順次排出される。
【００２７】
なお、本実施の形態による画像形成装置では、ＣＰＵ８０１によって画像形成装置本体に装着されているトナーカートリッジ１Ｙ〜１Ｋに備わる記憶装置９Ｙ〜９Ｋから補正情報が読み取られる。ＣＰＵ８０１は原則として、記憶装置９Ｙ〜９Ｋから取得される当該補正情報に基づいて、レーザユニットＬにおけるレーザ出力の制御や、現像器における現像ローラ３Ｙ〜３Ｋに印加される現像バイアス電圧の電圧値の制御や、帯電器５Ｙ〜５Ｋにおける帯電チャージバイアスの制御を行う。
【００２８】
このように、本実施の形態による画像形成装置では、画像形成装置本体に装着されているトナーカートリッジに備わる記憶装置に格納されている補正値に基づいて、画像形成動作に関連する所定の処理の制御パラメータを補正する。
【００２９】
図２は、本発明の第１の実施の形態による画像形成装置に備わる各種機能について説明するための機能ブロック図である。
【００３０】
図２に示す画像形成装置の各機能は、例えば、ＭＥＭＯＲＹ８０３に格納される制御パラメータ補正プログラム等の各種プログラムをＣＰＵ８０１にて実行させることにより実現されるものである。
【００３１】
補正情報取得部１０１は、本実施の形態による画像形成装置に装着されているトナーカートリッジ１Ｙ〜１Ｋに備わる記憶装置９Ｙ〜９Ｋから、補正値を有線もしくは無線の通信経路を介して取得する。
【００３２】
判定部１０２は、補正情報取得部１０１にて取得された補正値が所定の数値範囲内にあるか否かを判定する。
【００３３】
補正処理部１０３は、判定部１０２にて、補正情報取得部１０１により取得された補正値が所定の数値範囲内にないと判定される場合には、画像形成動作に関連する所定の処理の制御パラメータを、ＨＤＤ８０４に記憶されている所定の補正値に基づいて補正する。
【００３４】
履歴格納部１０４は、判定部１０２による判定結果に関する情報を、該判定結果が得られた判定処理の判定対象となったトナーカートリッジに備わる記憶装置に格納させる。
【００３５】
このように、トナーカートリッジの記憶装置に格納されている補正値についての数値判定の結果を当該記憶装置に格納しておくことにより、後に当該トナーカートリッジに収容されているトナーを利用した画像形成処理を行う際に適切なパラメータ補正等の処理を行うことが可能となる。
【００３６】
識別情報判定部１０５は、トナーカートリッジに備わる記憶装置に該トナーカートリッジを識別するための識別情報が格納されている場合に、該識別情報とＨＤＤ８０４に格納されている所定の識別情報とが一致するか否かを判定する。
【００３７】
補正処理部１０３は、識別情報判定部１０５にて、記憶装置に格納されている識別情報と所定の識別情報とが一致しないと判定される場合には、画像形成動作に関連する所定の処理の制御パラメータを、ＨＤＤ８０４に記憶されている所定の補正値に基づいて補正する。
【００３８】
図３に示すように、画像形成装置本体側に装備されたＨＤＤ８０４には３種以上の補正データを保持可能なようにしておき、これら３種以上の補正データそれぞれのアドレスをＡ００１，Ａ００２，Ａ００３とする。また、図４に示すように、トナーカートリッジ１Ｙ〜１Ｋ側に備わっている記憶装置９Ｙ〜９Ｋには５種以上のデータを保持可能となっており、これらデータが格納されるアドレスをＢ００１，Ｂ００２，Ｂ００３，Ｂ００４，Ｂ００５とした。
【００３９】
Ａ００１には識別コードが入力されており、Ｂ００１との比較に用いられる。ＣＰＵ８０１は、当該比較処理により、トナーカートリッジが本実施の形態による画像形成装置において利用可能な正規品であるか否かの判定を行う。
【００４０】
Ａ００２は、補正制御テーブルの選定コードの入力エリアになっており選定コードとして「１」，「２」および「３」の内のいずれかを保持している。そして、Ａ００３の書き込みエリアには、上記選定コードにより選定されている補正制御テーブルとして、「Ｂ００２」，「Ｂ００３」および「Ｂ００４」のテーブルの内のいずれかが書き込まれる。
【００４１】
また、「Ｂ００５」には履歴書き込みエリアが設けられており、何らかの理由によりＨＤＤ８０４に格納されている補正情報による制御パラメータの補正を行うことになった場合に、その旨を示す履歴情報を書き込む仕様となっている。
【００４２】
この情報とは、識別可能なものであれば特に形式は問わず、例えば、情報ありの場合には「０１」とし、情報無しの場合には「００」とするようなシンプルな構成とすることもできる。
【００４３】
図５は、トナーカートリッジ側の記憶装置９Ｙ〜９Ｋに格納されている情報の詳細について説明するための図である。
【００４４】
具体的に、トナーカートリッジ１Ｙ〜１Ｋ側に備わっている記憶装置９Ｙ〜９Ｋには、トナー特性（Ａ〜Ｃ）に応じた補正制御用のテーブル（１）〜（３）を書き込むアドレス「Ｂ００２」〜「Ｂ００４」が確保されている。トナー製造時にトナー特性を測定し、測定されるトナー特性に応じて、「トナー特性：Ａ用」、「トナー特性：Ｂ用」、「トナー特性：Ｃ用」のいずれかのテーブルが書き込まれる。
【００４５】
ここでのテーブル（１）〜（３）は、互いに補正値が異なるテーブル構成となっており、テーブル（１）が標準の補正値、テーブル（２）が（１）より弱めの補正値、テーブル（３）は（１）より強めの補正値となる構成としている。ここでは、画像形成装置本体のＣＰＵ８０１によるアクセス先を変更することで制御値（補正値）の微調整が可能な構成としている。
【００４６】
本実施の形態では、トナー特性をトナーの抵抗値に基づいてランク分けしている。具体的には、「トナー特性：Ａ用」はトナー抵抗値が８．０〜１２．０（Ωｃｍ＊１０＾１０）であり、「トナー特性：Ｂ用」はトナー抵抗値が４．０〜７．９（Ωｃｍ＊１０＾１０）であり、「トナー特性：Ｃ用」はトナー抵抗値が１２．１〜１６．０（Ωｃｍ＊１０＾１０）となっている。
【００４７】
各データテーブル（１）〜（３）におけるデータは、画像形成装置本体に備わる温湿度センサＳにて検出される相対湿度をａ〜ｊの１０区分に分割しており、各区分について補正値１〜３が割り当てられる。
【００４８】
具体的に、「補正値１」は 感光体ドラムを帯電させる際の帯電バイアス電圧の電圧値の補正値であり、「補正値２」はトナー像を記録媒体に転写させる際の現像バイアス電圧の電圧値の補正値であり、「補正値３」は感光体ドラムの感光面の露光に用いるレーザ出力の補正値とする構成とすることで、製造時に測定したトナー特性に対応した複数種類の補正テーブルを保持することが可能となる。
【００４９】
以下、トナー抵抗値の具体的な測定方法について説明する。
【００５０】
本実施の形態では、トナー３ｇをφ５ｃｍの整形器に充填し３００ｋＮの圧力にて１０分間加圧整形したプレートを、固体用電極（安藤電気製：ＳＥ-７１）にセットした上で、恒温槽（安藤電気製：ＴＯ-９Ｂ）内にてＬＣＲメータ（安藤電気製：ＡＧ-４３１１）を用い１．００ｋｈｚ、５．００ｖの条件で測定した。そして、上記測定により得られたＣｘ（静電容量［ｐＦ］）、Ｇｘ（コンダクタンス［μｓ］）および整形したトナーの厚さ［ｔｘ］を用い、以下の数式にて求められた値をトナーの抵抗値とした。下記式にて、「１１．３４」とは、固体用電極のトナープレートへの接触面積に相当している。
【００５１】
トナー抵抗値ρ＝（１１．３４／Ｇｘ・ｔｘ）×１０１１
図６は、本発明の第１の実施の形態による画像形成装置における処理の流れを示すフローチャートである。
【００５２】
画像形成装置本体の電源がＯＮになったとき、またはトナーカートリッジが交換されて装置のフロントカバー（トナーカートリッジ交換時に開閉されるカバー）が閉じられたとき（ＡＣＴ１０１）、ＣＰＵ８０１は、フロントカバーが閉じられたことを検知し、Ａ００１とＢ００１のデータ照合を行う（ＡＣＴ１０２）。
【００５３】
上記照合の結果、データが一致した場合（ＡＣＴ１０２，Ｙｅｓ）に、Ｂ００５に情報が書き込まれているか否かを確認する（ＡＣＴ１０３）。一方、データが一致しない場合（ＡＣＴ１０２，Ｎｏ）には、Ａ００２で指定されるテーブルをＢ００２〜Ｂ００４の中から選択しＡ００３に書き込む。このとき、Ａ００２が、“１”であればＢ００２を書き込み、“２”であればＢ００３を書き込み、“３”であればＢ００４を書き込む（ＡＣＴ１０４）。
【００５４】
次に、Ａ００３に書き込まれたデータが一定条件を満足するか否かを確認する（ＡＣＴ１０５）。この一定条件とは、例えば  
５０≧Ｄａｔａ≧３
等の制限条件とすることができるが、この他にも例えば数式によって表現するようにしてもよい。
【００５５】
上記確認の結果、Ａ００３に書き込まれたデータが一定条件を満たす場合（ＡＣＴ１０５，Ｙｅｓ）にのみ、ＨＤＤ８０４のアドレス「Ａ００３」に読み込まれたデータを用いて画像形成装置の制御が実施される。
【００５６】
また、上記のフローのＡＣＴ１０２、ＡＣＴ１０３およびＡＣＴ１０５において"Ｎｏ"である場合、ＣＰＵ８０１は、ＨＤＤ８０４のアドレス「Ｂ００５」の記憶領域に対する履歴情報の書き込みを行う。
【００５７】
このように、本実施の形態によれば、トナーカートリッジ側に備わる記憶装置からの正常な補正制御用の情報を取得できない場合でも、画像形成装置本体側に備わるＨＤＤ８０４に格納されている制御データを用いた制御を実施することで、画像形成装置における不具合の発生を回避することができる。
【００５８】
（第２の実施の形態）
次に、本発明の第２の実施の形態について説明する。
【００５９】
本発明の第２の実施の形態は、上述した第１の実施の形態の変形例である。以下、本実施の形態において、第１の実施の形態にてすでに説明した部分と同様な機能を有する部分については、同一符号を付し説明を省略する。
【００６０】
図７は、図６に示したフローチャートにおけるＡＣＴ１０２における判定結果が「Ｎｏ」の場合に、いずれの補正テーブルも使用しない状態（機能ＯＦＦ）でプリント／コピーモードに移行する（ＡＣＴ２０９）例を示すフローチャートである。
【００６１】
図７において、ＡＣＴ２０１〜ＡＣＴ２０８は、図６に示したＡＣＴ１０１〜ＡＣＴ１０８と同様な内容となっている。
【００６２】
（第３の実施の形態）
次に、本発明の第３の実施の形態について説明する。
【００６３】
本発明の第３の実施の形態は、上述した各実施の形態の変形例である。以下、本実施の形態において、上述の各実施の形態にてすでに説明した部分と同様な機能を有する部分については、同一符号を付し説明を省略する。
【００６４】
図８は、図６に示したフローチャートにおいて、ＡＣＴ１０２の処理を無くしたフローチャートである。
【００６５】
図８において、ＡＣＴ３０１〜ＡＣＴ３０２、ＡＣＴ３０３〜ＡＣＴ３０５、ＡＣＴ３０６は、図６に示したＡＣＴ１０１〜ＡＣＴ１０２、ＡＣＴ１０４〜ＡＣＴ１０６、ＡＣＴ１０８と同様な内容となっている。
【００６６】
本実施の形態では、「Ｂ００５」の履歴は参照しないが、判定部にて「Ａ００３のデータが一定条件を満足するか？」の判定（ＡＣＴ３０４）を行うため、結果的に図６と同じ構成となる。
【００６７】
（第４の実施の形態）
次に、本発明の第４の実施の形態について説明する。
【００６８】
本発明の第４の実施の形態は、上述した各実施の形態の変形例である。以下、本実施の形態において、上述の各実施の形態にてすでに説明した部分と同様な機能を有する部分については、同一符号を付し説明を省略する。
【００６９】
図９は、図８に示したフローチャートにおける「Ａ００１とＢ００１のデータが一致する？」（ＡＣＴ３０２）の判断が「Ｎｏ」の場合、機能ＯＦＦ（いずれの補正テーブルも使用しない）プリントモードへ移行する（ＡＣＴ４０７）、としたフローチャートである。
【００７０】
図９において、ＡＣＴ４０１〜ＡＣＴ４０６は、図８に示したＡＣＴ３０１〜ＡＣＴ３０６と同様な内容となっている。
【００７１】
本実施の形態では、トナーカートリッジに備わる記憶装置に格納されているべき補正値が正常である場合にとるべき数値範囲を、
５０≧Ｄａｔａ≧３
としている。
【００７２】
本実施の形態における補正値の値としては、補正値１（帯電チャージバイアスの補正値）、補正値２（現像バイアスへの補正値）、補正値３（レーザの出力への補正値）が挙げられる。また、これら補正値は、共に５〜４８の数値範囲内の値となっている（図１０）。これら補正値は、トナーカートリッジ側に備わっている記憶装置の記憶領域にデータテーブルとして記録されている。
【００７３】
続いて、トナーカートリッジ側に備わっている記憶装置の記憶領域に格納されるデータテーブルについて説明する。
【００７４】
画像形成装置本体側に備わるＨＤＤ８０４には、基準となるデータテーブルが書き込まれており、図６〜図９の動作フロー上の「Ａ００３のデータが一定条件を満足する」（ＡＣＴ１０５、ＡＣＴ２０５、ＡＣＴ３０４）の判断が「Ｎｏ」の場合の「本体側テーブルにて画像制御」（ＡＣＴ１０８、ＡＣＴ２０８、ＡＣＴ３０６）のときに、制御パラメータの補正に使用される。
【００７５】
なお、このデータテーブル内の数値が、上記の「５０≧Ｄａｔａ≧３」を超えた場合は、図１０で示すＨＤＤ８０４に格納されている基準テーブルを使って制御を行う仕組みとなっている。  
【００７６】
例えば、何かしらの原因によって補正値１の数値に正常な数値範囲内にない「１００」が書き込まれていた場合は、本体側のＨＤＤ８０４に格納されている基準テーブルを使用し、起りうる不具合を回避することができる仕組みとなっている。
【００７７】
なお、上述の各実施の形態では、トナーカートリッジに記憶媒体が備わっている構成について説明したが、必ずしもこれに限られるものではなく、例えば、上述の各実施の形態における記憶媒体が、定着器および感光体等に備わっている構成とすることもできることは言うまでもない。また、画像形成装置としてインクジェット方式の画像形成機能を有するものを採用する場合には、インクカートリッジ（インクタンク）に上記記憶媒体を装着することにより、本発明を適用することができる。
【００７８】
また、上述の実施の形態では、制御パラメータの補正値が数値である例を示したが、これに限られるものではなく、制御パラメータに対して施す補正の内容を画像形成装置サイドにおいて最終的に特定することのできる情報であれば、記号等であってもよい。
【００７９】
また、上述の実施の形態では、補正情報取得部にて取得される補正値についての判定を、所定の数値範囲内であるか否かに基づいて行っているが、必ずしもこれに限られるものではない。例えば、補正値がある程度決まった内容である場合には、当該内容と一致するか否かに基づいて、取得された補正値が正常であるか否かを判定するようにしてもよい。
【００８０】
また、上述の実施の形態では、カートリッジ側から取得される補正値が正常でない場合に代用する所定の補正値を、画像形成装置に備わる記憶装置に格納しておく構成を例示したが必ずしもこれに限られるものではない。例えば、上述の実施の形態による画像形成装置と通信可能なサーバ等の外部機器の記憶領域に格納しておき、必要に応じてネットワーク経由でデータ取得するようにしてもよい。
【００８１】
また、画像形成装置に備わるＨＤＤ８０４に予め格納してある所定の補正値は、当該画像形成装置にて利用可能なトナーの物性等の変更に応じて、例えば、ネットワーク経由で更新可能な構成としてもよい。
【００８２】
また、例えば、Ｙ，Ｍ，ＣおよびＫのトナーカートリッジの内のいずれかに備わる記憶装置に記憶されている補正値が正常でない場合には、他の正常な補正値が記憶されているカートリッジの補正値を、正常な補正値を取得できなかったカートリッジについても採用するようにしてもよい。
【００８３】
更に、画像形成装置を構成するＣＰＵ８０１（もしくはこれに代替可能なＭＰＵなど）等のプロセッサにおいて上述した各動作を実行させるプログラムを、制御パラメータ補正方法プログラムとして提供することができる。本実施の形態では、発明を実施する機能を実現するための当該プログラムが、装置内部に設けられた記憶領域に予め記録されている場合を例示したが、これに限らず同様のプログラムをネットワークから装置にダウンロードしても良いし、同様のプログラムをコンピュータ読取可能な記録媒体に記憶させたものを装置にインストールしてもよい。記録媒体としては、プログラムを記憶でき、かつコンピュータが読み取り可能な記録媒体であれば、その形態は何れの形態であっても良い。具体的に、記録媒体としては、例えば、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体、コンピュータプログラムを保持するデータベース、或いは、他のコンピュータ並びにそのデータベースや、回線上の伝送媒体などが挙げられる。またこのように予めインストールやダウンロードにより得る機能は装置内部のＯＳ（オペレーティング・システム）等と共働してその機能を実現させるものであってもよい。
【００８４】
なお、プログラムは、その一部または全部が、動的に生成される実行モジュールであってもよい。
【００８５】
また、上述の各実施の形態にてプログラムをＣＰＵやＭＰＵに実行させることにより実現される各種処理は、ＡＳＩＣ８０２にて回路的に実行させることも可能であることは言うまでもない。
【００８６】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【００８７】
以上に詳述したように上述の実施の形態によれば、トナーカートリッジに備わる記憶媒体に格納されている情報に不具合がある場合に、画像形成装置側にて誤動作を引き起すことを防止する技術を提供することができる。
【符号の説明】
【００８８】
８０１  ＣＰＵ、８０２  ＡＳＩＣ、８０３  ＭＥＭＯＲＹ、８０４  ＨＤＤ、１０１  補正情報取得部、１０２  判定部、１０３  補正処理部、１０４  履歴格納部、１０５  識別情報判定部。
【図１】
2010244049.tif 000003
【図２】
2010244049.tif 000004
【図３】
2010244049.tif 000005
【図４】
2010244049.tif 000006
【図５】
2010244049.tif 000007
【図６】
2010244049.tif 000008
【図７】
2010244049.tif 000009
【図８】
2010244049.tif 000010
【図９】
2010244049.tif 000011
【図１０】
2010244049.tif 000012